(57)【要約】【課題】  電源が分かれている構成において、商用電源の電源が不安定な場合、第１電源と第２電源の立ち上がり時間の差が大きくなる場合がある。この時、第１電源のみオンしている状態で、第１電源で動作するコントローラ部が、第２電源で動作するデバイスへ初期化のためアクセスに行くと、通信ができない場合がある。  一方、第１電源と第２電源の両方の立ち上がりを監視している場合、第２電源にデバイスが接続されない機器構成であると、第２電源の立ち上がりにかかる時間の分、起動時間が長くなってしまう。【解決手段】  第２電源で動作するデバイスの有無と、第１電源、第２電源の電源状態を監視し、起動時のリセット解除タイミングを変更する。これにより、第２電源で動作するデバイスが接続された時のみ、第２電源で動作するデバイスの初期化動作を実施できるようになる。【選択図】  図4
2018191120.tif 000002
【特許請求の範囲】
【請求項１】
オプション機器が接続できる画像処理装置であって、
第１電源部と、オプション機器が接続される第2の電源部と、
前記第１、第２の電源部の立ち上がりを検知する第１、第２の電源監視手段と、
制御手段のリセット信号を解除する、リセット制御手段を有し、
前記リセット制御手段は、前記第２の電源部に接続されるオプション機器の接続状態及び第１、第２の電源監視手段による第1，第２の電源部の立ち上がりの検知に基づいて、リセット信号を解除することを特徴する画像処理装置。
【請求項２】
前記リセット制御手段は、前記オプション機器の接続状態を接続検知信号に基づき判断することを特徴とする請求項１に記載の画像処理装置。
【請求項３】
前記リセット制御手段は、前記オプション機器の接続状態を、設定された構成情報に基づき判断することを特徴とする請求項１に記載の画像処理装置。
【請求項４】
前記リセット制御手段は、第２の電源部にオプション機器が接続されている場合には、第２の電源部の立ち上がりが検知されると、リセット信号を解除することを特徴とする請求項１〜３のいずれか1項に記載の画像処理装置。
【請求項５】
第１電源部及びオプション機器が接続される第２の電源部と、前記第１、第２の電源部の立ち上がりを検知する第１、第２の電源監視手段と、制御手段を有し、オプション機器が接続できる画像処理装置の制御方法であって、
前記制御手段のリセット信号を解除する、リセット制御工程を有し、
前記リセット制御工程は、前記第２の電源部に接続されるオプション機器の接続状態及び第１、第２の電源監視手段による第1，第２の電源部の立ち上がりの検知に基づいて、リセット信号を解除することを特徴する画像処理装置の制御方法。
【請求項６】
請求項５に記載の画像処理装置の制御方法を、コンピュータに実行させるためのプログラム。
【発明の詳細な説明】
【技術分野】
【０００１】
本発明は複数の電源により電力が供給されるオプション機器が接続できる画像処理装置、画像処理装置の制御方法及びプログラムに関する。
以下では、画像処理装置の１つである画像形成装置について説明する。
【背景技術】
【０００２】
近年、ユーザー等の環境意識が高まる中、画像形成装置が所定時間使用されない場合に、画像形成装置の一部の電源供給を停止することで省電力状態に移行し、ユーザーの利便性を損なわない範囲で、可能な限り消費電力を低減している。省電力状態では、例えば、プリンタ部やスキャナ部等の電源供給を停止し消費電力を低減することが行われている。また、省電力状態中は、操作部における画面表示を行っていないため、操作部の電源供給を停止することで、画像形成装置の消費電力を更に低減することが可能となっている。
【０００３】
さらに、コントローラ部と、プリンタ部、スキャナ部や操作部に供給する電源を分けることで、省電力状態に移行した際に、電源供給を停止している電源装置自体を停止することも可能となり、電源装置が消費する待機電力を削減することができる。そのため、最近の画像形成装置では、コントローラ部と、プリンタ部、スキャナ部と操作部で個別に電源を持つ構成となっている。
【０００４】
ユーザーが画像形成装置を使用する際は、まず電源装置から電源を投入し、省電力状態から通常状態に移行し、各部に電源が供給されてからコントローラ部のリセットを解除し、画像形成装置が起動する。各部に電源が供給された後、コントローラ部は、プリンタ部、スキャナ部、操作部、又はその他のオプション機器などの初期化動作を行う。初期化動作では、コントローラ部は、各機器の設定情報を取得し、必要なデータの書き込みを行っている。
各機器の初期化動作を行うためには、電源投入後、電圧が安定してから初期化動作を行う必要がある。これは、電圧が安定しないと各機器の初期化が成功しないからである。
従来、これら全ての機器の初期化動作が終了するまでにかかる時間をできるだけ短縮するため、コントローラ部は、各機器の初期化動作を開始するまでの待ち時間を保持し、保持された時間の経過に応じて、初期化動作が実行されていた（特許文献1参照）。
【先行技術文献】
【特許文献】
【０００５】
【特許文献１】特開2011−173382号公報
【発明の概要】
【発明が解決しようとする課題】
【０００６】
特許文献１に記載の発明では、接続されている機器の状態と保持されたそれぞれの初期化待ち時間に基づいてコントローラ部が接続されたデバイスのリセットを解除している。
しかしながら、コントローラ部に電源を供給する主電源と、プリンタ部、スキャナ部と操作部の各デバイスへ電源を供給する個別の電源を持つ構成では、商用電源の電源電圧が不安定であると、主電源と個別の電源の立ち上がり時間の差が大きくなる場合がある。この時、個別の電源の立ち上がりが遅く、主電源のみが起動している状態で、初期化待ち時間の経過を計測すると、接続されたデバイスへ個別の電源の供給が間に合わなくなることがある。そして、個別の電源から供給されるデバイスと、コントローラ部が初期化のための指示を通信しても、通信自体が正しくできなくなっていた。
【０００７】
これに対して、主電源、各部の個別の電源の両方の立ち上がり（初期化待ち）の時間の経過をすべて常に計測することも考えられる。しかし、この方法では、個別の電源で動作するデバイスが接続されておらず、個別の電源の立ち上がりを待つ必要がない場合でも、今度は全ての個別の電源の立ち上がりを待つことになり、不必要に起動時間が長くなることになる。
【０００８】
上記課題を解決するために、本発明は、主電源立ち上げ時に、個別の電源で動作する各デバイスの接続状況を考慮して、各デバイスの初期化のタイミングを制御することを目的とする。
【課題を解決するための手段】
【０００９】
本発明は、オプション機器が接続できる画像処理装置であって、第１電源部及びオプション機器が接続される第2の電源部と、前記第１、第２の電源部の立ち上がりを検出する第１、第２の電源監視手段と、制御手段のリセット信号を解除する、リセット制御手段を有し、前記リセット制御手段は、前記第２の電源部に接続されるオプション機器の接続状態及び第１、第２の電源監視手段による第1，第２の電源部の立ち上がりの検知に基づいて、リセット信号を解除することを特徴する。
【発明の効果】
【００１０】
本発明によれば、画像処理装置に接続される各デバイスの接続状態に応じて、各デバイスに供給される電源の立ち上がりを検知し、コントローラ部のリセットを解除するタイミングを変更することができ、確実に全てのデバイスの立ち上げを行うことができる。
具体的には、第２電源（各部の個別の電源）で動作するデバイスが接続されていない場合は、第１電源の立ち上がりを検知して、リセット解除を行うことができ、第２電源の立ち上がりを待たずに画像形成装置が起動を開始できる。
また、第２電源で動作するデバイスが接続されている場合は、第２電源の立ち上がりを検知した後で、リセット解除を行うことができる。
【図面の簡単な説明】
【００１１】
【図１】本発明が適用される情報処理システムのシステム構成を示す図。
【図２】本発明の画像処理装置のコントローラのハードウェア構成を示す図。
【図３】本発明の画像処理装置のコントローラの電源構成を示す図。
【図４】実施例1の画像処理装置の処理を示すフローチャート。
【図５】実施例2の画像処理装置の処理を示すフローチャート。
【図６】実施例１のオプション機器が接続されている場合のタイミングチャート。
【図７】実施例１のオプション機器が接続されていない場合のタイミングチャート。
【発明を実施するための形態】
【００１２】
以下、本発明を実施するための形態について図面を用いて説明する。
＜実施例1＞
【００１３】
（システム構成）
図１は、本発明が適用される画像形成装置を用いた情報処理システムのシステム構成を示す図である。
画像形成装置100は、画像の入出力や送受信と、それに関連する画像処理を行う。画像形成装置100は、コントローラ101、ユーザーインタフェースである操作部102、画像入力デバイスであるスキャナ103、及び、画像出力デバイスであるプリンタ104を備える。操作部102、スキャナ103、及び、プリンタ104は、それぞれコントローラ101に接続され、コントローラ101が各部の動作を制御する。コントローラ101は、コントローラ内部にあるネットワークＩ/Ｆ205を介して、ＬＡＮ（Local Area Network）120に接続され、プリントサーバ110やクライアントＰＣ111と通信を行う。ユーザーは、クライアントＰＣ111において、画像の印刷を行うべくプリントジョブを作成し、印刷処理を指示する。プリントジョブは一旦プリントサーバ110に蓄積され、その後ＬＡＮ120を介して画像形成装置100に送信される。
【００１４】
（画像形成装置のハードウェア構成）
図２を用いて本発明の画像形成装置100内のコントローラ101の構成を説明する。
【００１５】
コントローラ101は、スキャナＩ/Ｆ203を介して接続されるスキャナ103と、プリンタＩ/Ｆ204を介して接続されるプリンタ104を制御する。また、コントローラ101は、ネットワークＩ/Ｆ205を介して、ＬＡＮに接続し、外部機器との間で画像データ、デバイス情報の入出力を行う。
【００１６】
コントローラ101は、全体の制御を行うＣＰＵ201（Central Processing Unit）を備える。ＣＰＵ201は、システムバスを介して、ＲＡＭ207（Random Access Memory）、ＲＯＭ206（Read Only Memory）、ＨＤＤ208（Hard Disk Drive）と接続される。さらに、ＣＰＵ201は、ネットワークＩ/Ｆ205、操作部Ｉ/Ｆ202、ＵＡＲＴＩ/Ｆ210（Universal Asynchronous Receiver Transmitter）、モデムＩ/Ｆ211と接続される。また、ＣＰＵ201は、ＵＳＢＩ/Ｆ212（Universal Serial Bus）、シリアルＩ/Ｆ213とも接続される。
【００１７】
ＲＡＭ207は、ＣＰＵ201の主記憶部として作業領域を提供するための随時読み書き可能なメモリであり、内部処理する画像データを一時記憶するための画像メモリとしても使用される。ＲＯＭ206は、ブートＲＯＭでありシステム起動に必要なブートプログラムを格納する。ＨＤＤ208は、不揮発性メモリでありオペレーティングシステムやアプリケーションのプログラム、画像形成装置100の電源遮断後にも保持が必要な設定値データやユーザデータ等を格納する。ＣＰＵ201が、ＲＯＭ206、ＨＤＤ208等に記憶されているプログラムに基づき処理を実行することにより、画像形成装置100の各機能が実現される。
【００１８】
ネットワークＩ/Ｆ205は、ＬＡＮ120と接続するためのインタフェースであり、ＬＡＮ120に対してデータの入出力を行う。
【００１９】
操作部Ｉ/Ｆ202は、液晶タッチパネル等で構成する操作部102との間で入出力を行うためのインタフェースである。ＣＰＵ201は、操作部Ｉ/Ｆ202を介して、操作部102に表示すべき画像データを出力する。また、操作部Ｉ/Ｆ202は、ユーザーが操作部102を介して入力したデータをＣＰＵ201に伝送するために使用される。ここで、画像形成装置100にプリントサーバ110が接続される構成の場合、プリントサーバ110を介してユーザーが画像形成装置100を操作することが可能となり、操作部102が画像形成装置100に接続されない構成となる場合もある。
【００２０】
ＵＡＲＴＩ/Ｆ210は、画像形成装置100の機能拡張のためのインタフェースである。本実施形態では、ＵＡＲＴＩ/Ｆ210は、ＮＦＣユニット230を接続するために使用される。ＮＦＣユニット230は、無線でＮＦＣ（Near Field Communication）を搭載したモバイル端末と通信を行う。これにより、モバイル端末とのペアリング動作、即ち、画像形成装置100側の接続情報をモバイル端末へ渡すことが可能となる。モバイル端末は、通信端末の一例である。
【００２１】
モデムＩ/Ｆ211は、公衆回線と接続するためのモデム231を接続するインタフェースである。ＣＰＵ201は、モデムＩ/Ｆ211にモデム231を接続することで、公衆回線に対してデータの入出力を行うことができる。モデム231は、画像形成装置100の機能拡張のためのオプション機器である。モデム231は、ＣＰＵ201から入力された画像データを公衆回線の伝送路の特性に合わせた信号に変調して送信する。また、モデム231は、公衆回線の伝送路から入力された画像データを復調してＣＰＵ201に対して送信する。これにより、画像形成装置100は、公衆回線を用いたＦＡＸ機能が使用可能となる。
【００２２】
ＵＳＢＩ/Ｆ212は、汎用のインタフェース規格で構成され、画像形成装置100の機能拡張のためのインタフェースである。本実施例では、ＵＳＢＩ/Ｆ212は、無線ＬＡＮアダプタ232を接続するために使用される。無線ＬＡＮアダプタ232は、無線でＬＡＮ120と接続するためのインタフェースであり、ＬＡＮ120上のアクセスポイントにクライアントとして無線接続し、ＣＰＵ201とＬＡＮ120との間のデータ入出力を可能とする。また、無線ＬＡＮアダプタ232は、ユーザーのモバイル端末と無線ＬＡＮとの直接接続が可能であり、ＬＡＮ120を介さず、ＣＰＵ201とユーザーのモバイル端末との間のデータ入出力を可能とする。ここで、無線ＬＡＮアダプタ232は、汎用のインタフェースであるＵＳＢを用いて、コントローラ101と接続されているが、例えば、ＳＤＩＯやＵＡＲＴ等、他の汎用のインタフェースを介してコントローラ101と接続されてもよい。
【００２３】
シリアルＩ/Ｆ213は、画像形成装置100の機能拡張のためのインタフェースである。本実施例では、シリアルＩ/Ｆ213は、カードリーダー233を接続するために使用される。カードリーダー233は、ユーザーが画像形成装置100にログインを行う際のユーザー認証に用いられる。ユーザーが、認証に必要なデータが登録された磁気カードをカードリーダー233に通すことで、画像形成装置100は、カードリーダー233で読み取ったデータから、登録されたユーザーであると判断した場合ログインの処理を行う。
【００２４】
画像処理部209には、スキャナＩ/Ｆ203、プリンタＩ/Ｆ204が接続される。スキャナＩ/Ｆ203、及び、プリンタＩ/Ｆ204は、それぞれスキャナ103、及び、プリンタ104とコントローラ101とを接続するインタフェースである。画像処理部209は、スキャナ103から読み込んだ入力画像データに対して、補正、加工、編集等の画像処理を行う。また、画像処理部209は、プリンタ104へ出力するプリント出力画像データに対して、色変換、フィルタ処理、解像度変換等の処理を行う。
【００２５】
電源制御部220は、画像形成装置100の動作状態に応じて、各部の電源供給のオン/オフを切り替える。電源制御部220は、ＣＰＵ201からシステムバスを介して制御信号を受信し、受信した制御信号に基づいて、電力供給手段である電源装置221に対して制御信号を送信することで給電制御を行う。電源装置221は、電源制御部220からの受信した制御信号に基づいて、画像形成装置100の各部に対して電源を供給する。電源装置221は、電源ケーブルにより商用電源と接続されている限り常時通電され、画像形成装置100の各部に対し電力供給が可能である。
【００２６】
図３は、画像形成装置100の電源系についての構成について示す。
電源装置221は、画像形成装置100の各部に対しDC電源を出力する第１電源部302及び第２電源部306の電源回路を備えている。
リセット制御部330は、第１電源監視部308と第２電源監視部309から、第１電源部302と第２電源部306の電源の通電状態を受け取り、通電状態となった場合にＣＰＵ201に対してリセット信号を解除する動作を行う。すると、ＣＰＵ201がプログラムを実行し、画像形成装置100が起動を始める。また、リセット制御部330には、操作部102やカードリーダー233が画像形成装置100に接続されているかを示す、接続検知信号線340、341が接続されている。リセット制御部330は、操作部102やカードリーダー233の接続状態に応じて、リセット信号を解除するタイミングを制御する。
【００２７】
（画像形成装置の省電力動作）
画像形成装置100は、通常状態と省電力状態の２つの動作状態を有している。
通常状態では、電源装置221は、コントローラ101、操作部102、スキャナ103、プリンタ104の各部に電力供給を行う。また、ＣＰＵ201は、各部に対する電力供給が有効となるように電源制御部220を制御する。ＣＰＵ201は、システムバスを介して制御信号を送信し、電源制御部220の内部にあるレジスタ値を書き換える。電源制御部220は書き換えられたレジスタ値に基づいて、スイッチ317〜320のオン/オフを制御し、各部に電力供給を行う。通常状態では、ユーザーが画像形成装置100のスキャンやプリントなどの機能を使用することが可能である。
【００２８】
省電力状態では、電源装置221は、電源制御部220に電力供給を行う。また、ＣＰＵ201は、コントローラ101の一部に対して電力供給を有効にし、かつ、操作部102、スキャナ103、プリンタ104の電力供給が無効となるように電源制御部220を制御する。電源制御部220は、電源ラインに接続されたスイッチ317〜320をオフし、電力供給を遮断する。その後、スイッチ305をオフし、第２電源部306をオフすることで、第２電源部の待機電力を削減する。省電力状態において、画像形成装置100は、ユーザーによる操作部102のボタンの押下や、ネットワークからのデータ受信などを電源制御部220で検知すると、通常状態へと移行する。
【００２９】
（画像形成装置の制御フロー）
図4のフローチャートを用いて、画像形成装置100の起動時に、リセット制御部330がＣＰＵ201に対してリセット信号を解除するタイミングを切り替える制御について説明する。また、図6、図7のタイミングチャートは、リセット制御部330がリセット信号を解除するタイミングを示す。
【００３０】
ユーザーが画像形成装置100を起動させるため、電源スイッチ303を押下する。すると、第１電源監視部は、電源が供給されるようになり、第１電源部302からの電源電圧の監視を開始する。その後、第１電源監視部308は、電源が供給されたことを電源制御部220とリセット制御部330に通知する。電源制御部220はその通知を受けて、スイッチ305をオンし、第２電源部306は、電源供給を開始する。
そして、S401において、リセット制御部330は、第１電源監視部308からの通知を受けて、第１電源部302の立ち上がりを検知する。
【００３１】
次に、S402において、リセット制御部330は、操作部102の接続検知信号線340の論理を検出することで、操作部102の接続を検知する。
具体的には、接続検知信号線340のリセット制御部330側に第１電源部302の出力ラインに接続されるプルアップ抵抗を配置する回路構成とした場合を想定する。この場合、操作部102が接続されていない場合は、プルアップ抵抗により、接続検知信号線340の論理がHiとなる。また、操作部102が接続されている場合は、操作部102側で接続検知信号線340をGNDに接続することで、接続検知信号線340の論理がLowとなる。この接続検知信号線340の論理(Hi/Lo)を検出することになる。
そして、操作部102が接続されている場合は（S402/Yes）、S405に進む。
ＣＰＵ201と操作部102が初期化動作を正常に行えるように、操作部102に電源が供給されてから、リセット制御部330は、ＣＰＵ201のリセット信号を解除する動作を行う必要がある。ここで、初期化動作としては、操作部102の画面サイズの設定などがある。
そこで、S405において、リセット制御部330は、第２電源監視部309からの通知を受けて、第２電源部306の立ち上がりを検知するまで待機する。リセット制御部330が第２電源部306の立ち上がりを検知した場合は、S404へ進む。
S404では、第１電源部302と第２電源部306の電源が供給が正常になっているので、リセット制御部330は、ＣＰＵ201に対してリセット信号を解除する。
このケースの場合は、タイミングチャートは図６のようになる。
【００３２】
操作部102が接続されていない場合（S402/No）、S403に進む。
S403で、リセット制御部330は、カードリーダー233の接続検知信号341の論理を検出することで、カードリーダー233の接続を確認する。
カードリーダー233が接続されている場合（S403/Yes）、ＣＰＵ201とカードリーダー233が初期化のための通信を行えるようにする必要がある。よって、カードリーダー233に第２電源部306から電源が供給されてから、ＣＰＵ201のリセット信号を解除する動作を行わなければならない。そのためS405へ進む。
S405以降は、上記S402/Yesの場合と同様であるので、説明を省略する。
【００３３】
一方、カードリーダー233が接続されていない場合（S403/No）は、S404に進む。
S404では、ＣＰＵ201は、操作部102やカードリーダー233と初期化のための通信を行う必要がないため、リセット制御部330は、第１電源部302の電源が供給されたことにより、ＣＰＵ201に対するリセット信号を解除する。
このケースの場合のタイミングチャートは、図７のようになる。
【００３４】
以上の処理により、リセット制御部330は、画像形成装置100に接続されているオプション機器である操作部102やカードリーダー233の接続状況に応じて、ＣＰＵ201に対するリセット信号を解除するタイミングを変更できる。これにより、ＣＰＵ201と異なる電源に接続されるデバイスとの初期化動作を行うタイミングを適切に制御することが可能となる。
【００３５】
実施例１では、第２電源部306に接続されているデバイスを、リセット制御部330が接続検知信号線340、341で直接検知していた。しかしながら、デバイスの接続状況によっては、リセット信号を解除するタイミングが変化してしまう場合もあった。
実施例２では、オプション機器の接続情報を機器の構成情報350として予め設定しておき、その構成情報350をリセット制御部330が取得しオプション機器の接続を検知する。そうすることで、デバイスの接続状況いかんに関わらず、接続構成情報から適切にリセット信号を解除することができるものである。
＜実施例２＞
図５のフローチャートを用いて、画像形成装置100の起動時に、リセット制御部330が画像形成装置100に接続される機器の構成情報350を取得して、リセット信号を解除するタイミングを切り替える制御について説明する。画像形成装置100の起動から、第１電源部302の立ち上がりを検知する部分は同様のため省略する（S501）。
【００３６】
次に、S502で、リセット制御部330は、画像形成装置100に接続される機器の構成情報350を取得し、第２電源に属するデバイスが接続されている構成かどうか判断する。ここで、機器の構成情報350とは、画像形成装置100に操作部102が接続されている構成であるかを示す情報である。例えば、リセット制御部330が情報を取得できるように、第１電源線に接続されるプルアップ抵抗や信号の論理を切り替えるスイッチ等を配置し、これらに機器の構成情報350を予め設定しておく。
そして、操作部102が接続されている構成の場合（S502/Yes）は、S504に進み、操作部102が接続されていない構成の場合（S502/No）は、S503に進む。
S502でYesの場合は、ＣＰＵ201と操作部102が初期化動作を正常に行えるように、操作部102に電源が供給されてから、リセット制御部330はＣＰＵ201のリセット信号を解除する動作を行う必要がある。そのため、S504では、リセット制御部330は、第２電源監視部309からの通知を受けて、第２電源部306の立ち上がりを検知する。第２電源部306の立ち上がりが検知されると、第１電源部302と第２電源部306の電源が供給されたことになるので、S503に進み、ＣＰＵ201に対するリセット信号を解除する。
このケースのタイミングチャートは、図６と同様になる。ただし、接続検知信号に基づくものではなく、機器の構成情報350に基づきリセット制御部330がリセット信号を解除する点が実施例１と異なる。
【００３７】
一方、操作部102が接続されない構成の場合（S502/No）、ＣＰＵ201は、操作部102と初期化のための通信を行う必要がない。そのため、リセット制御部330は、第１電源部302の電源が供給されたことで、ＣＰＵ201に対するリセット信号を解除する（S503）。
このケースのタイミングチャートは、図７と同様になる。ただし、接続検知信号に基づくものではなく、機器の構成情報350に基づきリセット制御部330がリセット信号を解除する点が実施例１と異なる。
【００３８】
以上の処理により、リセット制御部330は、画像形成装置100に接続される機器の構成情報350を取得して、ＣＰＵ201に対するリセット信号を解除するタイミングを変更できる。これにより、ＣＰＵ201と異なる電源に接続されるデバイスとの初期化動作を行うタイミングを制御することが可能となる。また、接続状況に応じてリセット信号を解除するタイミングを変更する場合、デバイスの接続不良により、タイミングが変化してしまう。しかし、予め設定された機器の構成情報350に従いタイミングを決めることで、接続不良により、リセット信号を解除するタイミングが変化することを防ぐことができる。
【００３９】
(その他の実施例) 
本発明は、上述の実施形態の1以上の機能を実現するプログラムを、ネットワーク又は記憶媒体を介してシステム又は装置に供給し、そのシステム又は装置のコンピュータにおける1つ以上のプロセッサーがプログラムを読出し実行する処理でも実現可能である。また、1以上の機能を実現する回路(例えば、ASIC)によっても実現可能である。
【符号の説明】
【００４０】
100  画像形成装置
102  操作部
201  ＣＰＵ
330  リセット制御部
【図１】
2018191120.tif 000003
【図２】
2018191120.tif 000004
【図３】
2018191120.tif 000005
【図４】
2018191120.tif 000006
【図５】
2018191120.tif 000007
【図６】
2018191120.tif 000008
【図７】
2018191120.tif 000009